(57)【要約】【課題】発信側通信端末が指定した着信側通信端末に対して、指定した楽曲または音声メッセージと楽曲とを自動配信する音楽配信サービスシステムを提供する。【解決手段】発信側通信端末の一例の発信携帯電話機１がサービス特番および着信側通信端末の一例の着信携帯電話機２の電話番号をダイアルすると、配信サーバ装置３に着信し、着信側に配信したい楽曲を特定する楽曲コードの入力を促す音声ガイダンスが音声応答装置４から返送されるので、楽曲コードを入力して呼を終了させる。配信サーバ装置３は、入力された楽曲コードに基づき、楽曲データベース５を検索して該当する楽曲を抽出した後、配信開始時間としてあらかじめ決められた時間が経過した時点で、発信側から指定された着信携帯電話機２に対して自動発信し、応答後に、音声応答装置４から発信携帯電話機１の発信者からの依頼である旨の音声ガイダンスを送信した後、発信側が指定した楽曲を配信する。【選択図】図１
2008158708.tif 000002
【特許請求の範囲】
【請求項１】
発信側通信端末から、サービス番号を入力して、前記サービス番号により特定される音楽配信サービスを配信先の着信側通信端末に提供する配信サーバ装置を少なくとも備えた音楽配信サービスシステムであって、
前記配信サーバ装置に、音声ガイダンスを前記発信側通信端末および／または前記着信側通信端末に送信する音声応答手段と、配信を要求される音楽に関する楽曲を楽曲コードに対応付けてあらかじめ格納している楽曲データベースとを少なくとも備え、前記発信側通信端末から入力された前記サービス番号として、前記楽曲データベースに格納されている楽曲の中から、指定した楽曲を指定した着信通信端末に配信することを要求している場合、前記発信側通信端末から入力された楽曲コードに基づいて前記楽曲データベースの中から指定された楽曲を検索するとともに、前記発信側通信端末との接続が切断された後、配信開始時間としてあらかじめ定められた時間が経過した際に、前記発信側通信端末から指定されていた着信側通信端末に対して自動発信して、前記音声応答手段から、前記発信側通信端末からの依頼により楽曲を配信している旨の音声ガイダンスを送信した後、前記楽曲データベースの中から検索された前記楽曲を、前記着信側通信端末に対して配信することを特徴とする音楽配信サービスシステム。
【請求項２】
前記発信側通信端末が当該音楽配信サービスシステムに楽曲の配信を要求する際に入力された前記着信側通信端末のアドレスか、あるいは、当該音楽配信サービスシステムにあらかじめ登録されている前記着信側通信端末のアドレスかのいずれかにより、前記楽曲の配信先の着信側通信端末を指定することを特徴とする請求項１に記載の音楽配信サービスシステム。
【請求項３】
前記音声応答手段から、配信対象とする楽曲を特定する楽曲コードの入力を促す音声ガイダンスを前記発信側通信端末に対して送信することに応じて、前記発信側通信端末から入力されてくる前記楽曲コードを受け取ることを特徴とする請求項１または２に記載の音楽配信サービスシステム。
【請求項４】
楽曲コードの入力を促す前記音声ガイダンスを前記発信側通信端末に対して送信した後、楽曲コード用入力制限時間としてあらかじめ定めた時間が経過するまでに、前記発信側通信端末から楽曲コードが入力されなかった場合、あるいは、入力された楽曲コードが正常ではなかった場合、前記発信側通信端末の音楽配信サービスを中止することを特徴とする請求項３に記載の音楽配信サービスシステム。
【請求項５】
前記着信側通信端末に対する前記楽曲の配信が終了した後、前記音声応答手段から前記楽曲の再配信を要求するか否かを問い合わせる音声ガイダンスを前記着信側通信端末に対して送信することを特徴とする請求項１ないし４のいずれかに記載の音楽配信サービスシステム。
【請求項６】
発信側通信端末が入力する前記サービス番号に応じて、前記着信側通信端末に対して自動発信する時点が、あらかじめ定めた前記配信開始時間が経過した時点ではなく、前記発信側通信端末から配信開始日時として任意に指定されている時点に切り替えて設定することを特徴とする請求項１ないし５のいずれかに記載の音楽配信サービスシステム前記。
【請求項７】
前記音声応答手段から、前記配信開始日時の入力を促す音声ガイダンスを前記発信側通信端末に対して送信することに応じて、前記発信側通信端末から入力されてくる前記配信開始日時を受け取ることを特徴とする請求項６に記載の音楽配信サービスシステム。
【請求項８】
前記発信側通信端末が入力する前記サービス番号に応じて、前記発信通信端末から指定された前記楽曲を検索した際に、前記着信通信端末に自動発信する前に、前記発信側通信端末に対して指定された前記楽曲を配信することを特徴とする請求項１ないし７のいずれかに記載の音楽配信サービスシステム。
【請求項９】
前記発信側通信端末が入力する前記サービス番号に応じて、指定された楽曲の他に指定された音声メッセージを前記着信通信端末に対して配信することを特徴とする請求項１ないし８のいずれかに記載の音楽配信サービスシステム。
【請求項１０】
前記発信側通信端末が当該音楽配信サービスシステムに楽曲の配信を要求する際に入力された音声メッセージか、あるいは、当該音楽配信サービスシステムにあらかじめ登録されている音声メッセージかのいずれかにより、前記着信通信端末に対して配信する前記音声メッセージが設定されることを特徴とする請求項９に記載の音楽配信サービスシステム。
【請求項１１】
前記発信側通信端末が当該音楽配信サービスシステムに楽曲の配信を要求する際に入力された前記音声メッセージを受け取る場合、前記音声応答手段から、前記音声メッセージの入力を促す音声ガイダンスを前記発信側通信端末に対して送信することに応じて、前記発信側通信端末から入力されてくる前記音声メッセージを受け取ることを特徴とする請求項１０に記載の音楽配信サービスシステム。
【請求項１２】
前記発信側通信端末が入力する前記サービス番号に応じて、前記発信側通信端末が当該音楽配信サービスシステムに楽曲の配信を要求する際に、前記発信側通信端末の利用者のユーザ識別子とパスワードとを用いた認証を行うことを特徴とする請求項１ないし１１のいずれかに記載の音楽配信サービスシステム。
【請求項１３】
前記発信側通信端末の利用者のユーザ識別子とパスワードとを前記発信側通信端末から受け取る場合、前記音声応答手段から、前記ユーザ識別子と前記パスワードとの入力を促す音声ガイダンスを前記発信側通信端末に対して送信することに応じて、前記発信側通信端末から入力されてくる前記ユーザ識別子と前記パスワードとを受け取ることを特徴とする請求項１２に記載の音楽配信サービスシステム。
【請求項１４】
前記楽曲データベースにあらかじめ格納される楽曲は、ネットワークを介して、楽曲の提供を行うコンテンツ提供事業者のコンテンツ提供装置、または、法人ユーザ専用の端末装置から転送されてくることを特徴とする請求項１ないし１３のいずれかに記載の音楽配信サービスシステム。
【請求項１５】
当該音楽配信サービスシステムに、前記着信側通信端末のアドレス、および／または、前記音声メッセージをあらかじめ登録する場合、当該音楽配信サービスシステムの運営事業者が使用する制御端末から入力するか、あるいは、前記発信通信端末からネットワークを介して入力するか、あるいは、楽曲や音声メッセージの提供を行う法人ユーザ専用の端末装置からネットワークを介して入力するか、あるいは、一般の通信端末からネットワークを介して入力するか、のいずれかの手段を用いて登録することを特徴とする請求項１ないし１４のいずれかに記載の音楽配信サービスシステム。
【請求項１６】
前記ネットワークが、インターネットであることを特徴とする請求項１４または１５に記載の音楽配信サービスシステム。
【請求項１７】
前記発信側通信端末および前記着信側通信端末が、携帯電話機、ＰＨＳ電話機、ＰＤＡ、携帯型ノートＰＣ、固定電話機、デスクトップ型ＰＣ、一般情報端末のいずれかからなっていることを特徴とする請求項１ないし１６のいずれかに記載の音楽配信サービスシステム。
【請求項１８】
前記配信サーバ装置の前記楽曲データベースにあらかじめ格納される楽曲および当該音楽配信サービスシステムにあらかじめ登録されている情報をバックアップするバックアップ制御サーバ装置を備えていることを特徴とする請求項１ないし１７のいずれかに記載の音楽配信サービスシステム。
【請求項１９】
楽曲の提供を行うコンテンツ提供事業者に関する情報および当該音楽配信サービスシステムとネットワークを介して接続される前記コンテンツ提供事業者のコンテンツ提供装置に関する情報、および／または、楽曲および／または音声メッセージの提供を行う法人ユーザに関する情報および当該音楽配信サービスシステムとネットワークを介して接続される前記法人ユーザの端末装置に関する情報を、管理するコンテンツ管理サーバ装置を備えていることを特徴とする請求項１ないし１８のいずれかに記載の音楽配信サービスシステム。
【請求項２０】
発信側通信端末から入力されたサービス番号により特定される音楽配信サービスを配信先の着信側通信端末に提供する配信サーバ装置であって、前記配信サーバ装置に、音声ガイダンスを前記発信側通信端末および／または前記着信側通信端末に送信する音声応答手段と、配信を要求される音楽に関する楽曲を楽曲コードに対応付けてあらかじめ格納している楽曲データベースとを少なくとも備え、前記発信側通信端末から入力された楽曲コードに基づいて前記楽曲データベースの中から指定された楽曲を検索するとともに、前記発信側通信端末との接続が切断された後、前記発信側通信端末から指定されていた着信側通信端末に対して自動発信して、前記音声応答手段から、前記発信側通信端末からの依頼により楽曲を配信している旨の音声ガイダンスを送信した後、前記楽曲データベースの中から検索された前記楽曲を、前記着信側通信端末に対して配信することを特徴とする配信サーバ装置。
【請求項２１】
発信側通信端末から、サービス番号を入力して、前記サービス番号により特定される音楽配信サービスを配信先の着信側通信端末に提供する音楽配信サービスシステムにおける音楽配信方法であって、配信を要求される音楽に関する楽曲を楽曲コードに対応付けてあらかじめ格納している楽曲データベースを少なくとも有し、前記発信側通信端末から入力された前記サービス番号として、前記楽曲データベースに格納されている楽曲の中から、指定した楽曲を指定した着信通信端末に配信することを要求している場合、前記発信側通信端末から入力された楽曲コードに基づいて前記楽曲データベースの中から指定された楽曲を検索するとともに、前記発信側通信端末との接続が切断された後、配信開始時間としてあらかじめ定められた時間が経過した際に、前記発信側通信端末から指定されていた着信側通信端末に対して自動発信して、前記楽曲データベースの中から検索された前記楽曲を、前記着信側通信端末に対して配信することを特徴とする音楽配信方法。
【請求項２２】
前記発信側通信端末が当該音楽配信サービスシステムに楽曲の配信を要求する際に入力された前記着信側通信端末のアドレスか、あるいは、当該音楽配信サービスシステムにあらかじめ登録されている前記着信側通信端末のアドレスかのいずれかにより、前記楽曲の配信先の着信側通信端末を指定することを特徴とする請求項２１に記載の音楽配信方法。
【請求項２３】
前記発信側通信端末が入力する前記サービス番号に応じて、前記着信側通信端末に対して自動発信する時点が、あらかじめ定めた前記配信開始時間が経過した時点ではなく、前記発信側通信端末から配信開始日時として任意に指定されている時点に切り替えて設定することを特徴とする請求項２１または２２に記載の音楽配信方法。
【請求項２４】
前記発信側通信端末が入力する前記サービス番号に応じて、前記発信通信端末から指定された前記楽曲を検索した際に、前記着信通信端末に自動発信する前に、前記発信側通信端末に対して指定された前記楽曲を配信することを特徴とする請求項２１ないし２３のいずれかに記載の音楽配信方法。
【請求項２５】
前記発信側通信端末が入力する前記サービス番号に応じて、指定された楽曲の他に指定された音声メッセージを前記着信通信端末に対して配信することを特徴とする請求項２１ないし２４のいずれかに記載の音楽配信方法。
【請求項２６】
前記発信側通信端末が当該音楽配信サービスシステムに楽曲の配信を要求する際に入力された音声メッセージか、あるいは、当該音楽配信サービスシステムにあらかじめ登録されている音声メッセージかのいずれかにより、前記着信通信端末に対して配信する前記音声メッセージが設定されることを特徴とする請求項２５に記載の音楽配信方法。
【請求項２７】
前記発信側通信端末が入力する前記サービス番号に応じて、前記発信側通信端末が当該音楽配信サービスシステムに楽曲の配信を要求する際に、前記発信側通信端末の利用者のユーザ識別子とパスワードとを用いた認証を行うことを特徴とする請求項２１ないし２６のいずれかに記載の音楽配信方法。
【請求項２８】
前記楽曲データベースにあらかじめ格納される楽曲は、ネットワークを介して、コンテンツ提供事業者のコンテンツ提供装置、または、法人ユーザ専用の端末装置から転送されてくることを特徴とする請求項２１ないし２７のいずれかに記載の音楽配信方法。
【請求項２９】
当該音楽配信サービスシステムに、前記着信側通信端末のアドレス、および／または、前記音声メッセージをあらかじめ登録する場合、当該音楽配信サービスシステムの運営事業者が使用する制御端末から入力するか、あるいは、前記発信通信端末からネットワークを介して入力するか、あるいは、楽曲や音声メッセージの提供を行う法人ユーザ専用の端末装置からネットワークを介して入力するか、あるいは、一般の通信端末からネットワークを介して入力するか、のいずれかの手段を用いて登録することを特徴とする請求項２１ないし２８のいずれかに記載の音楽配信方法。
【請求項３０】
前記ネットワークが、インターネットであることを特徴とする請求項２８または２９に記載の音楽配信方法。
【請求項３１】
請求項２１ないし３０のいずれかに記載の音楽配信方法を、コンピュータにより実行可能なプログラムとして実施していることを特徴とする音楽配信プログラム。
【請求項３２】
請求項３１に記載の音楽配信プログラムを、コンピュータにより読み取り可能な記録媒体に格納していることを特徴とするプログラム記録媒体。
【発明の詳細な説明】
【技術分野】
【０００１】
本発明は、音楽配信サービスシステム、配信サーバ装置、音楽配信方法、プログラムおよび記録媒体に関し、特に、携帯電話機に用いられるショートメッセージサービスの方式を応用したマルチメディア型の音楽配信サービスシステムに好適に適用することができる。
【背景技術】
【０００２】
近年、インターネットの利用技術として、マルチメディア型の音楽配信サービスが活発化してきており、各種の提案がなされている。例えば、特許文献１の特開２０００−３５８００３号公報「音楽配信システム」では、音楽コンテンツの著作権を保護した形で、他人に音楽をプレゼントできるように、ＩＤ/コンテンツキーを渡し、その後、暗号化音楽データを送信する手順が記載されている。
【０００３】
また、特許文献２の特開２００３−１７９６９５号公報「音楽配信サービス方法、音楽配信サービスシステムおよびプログラム」では、発信者の音声などを携帯電話機の着信音として利用できるように、発信者の音声などを電子データとしてデータベースに登録しておき、ダウンロード要求により、この電子データを受信する仕組みを提案している。
【０００４】
また、特許文献３の特開平０９−０８３６４５号公報「通信装置」では、あらかじめ登録した時点で登録された用件や情報を伝えることが可能なように、登録した時点で自動発信して相手にそのメッセージを伝える装置を提案している。
【０００５】
また、特許文献４のＷ２００１／３９４１１号公報「情報配信システム、移動通信端末および情報配信方法」では、楽曲の配信を要求するリクエストと配信先を示すアドレスとの指定を行うと、通信コストを考慮した楽曲の受信方法を選択することができる仕組みを提案している。
【特許文献１】特開２０００−３５８００３号公報（第５−６頁）
【特許文献２】特開２００３−１７９６９５号公報（第４−６頁）
【特許文献３】特開平０９−０８３６４５号公報（第３−４頁）
【特許文献４】Ｗ２００１／３９４１１号公報（第２１−２５頁）
【発明の開示】
【発明が解決しようとする課題】
【０００６】
しかしながら、前述のような従来の音楽配信サービスでは、次のような問題がある。
【０００７】
第１の問題点は、音楽配信サービスにおいて、楽曲の聴取、取得は、「楽曲データのダウンロード」という動作が基本となっている点にある。したがって、音楽コンテンツをダウンロードする都度、コピーが行われるために、著作権の問題が発生する。利用者は、ダウンロードする都度、使用料を支払い、コンテンツプロバイダやオペレータは、その使用状況を管理することが必要である。
【０００８】
この問題を解決する技術として、コンテンツの複製防止技術やその履歴管理を行うＤＲＭ(Digital Rights Management)という技術がある。このＤＲＭはコンテンツの再生に制限を加えるという技術である。このＤＲＭ技術を適用すれば、端末にダウンロードしたコンテンツの複製、再生に制限を加えることができるが、コンテンツそのものや端末に対し、ＤＲＭ技術を組み込まなければ利用することができず、導入コストが高いサービスとなっている。
【０００９】
第２の問題点は、コンテンツのダウンロードの可否がネットワークの帯域および通信端末の機能に依存する点にある。特に、通信端末の機能の程度によっては、指定したサイトにアクセスすることができず、ダウンロードができないという場合がある。また、オペレータは、アクセスしてくる可能性があるものとして、市場に流通しているほとんどすべての通信端末に対応しなければならず、コストの高いサービスとなっている。
【００１０】
第３の問題点は、通信端末例えば携帯電話機の利用者側の立場に立つと、音声メッセージのみならず、楽曲、自然音、その他の効果音を、指定した相手へ聞かせたい、伝達させたい、贈呈したいという願望があるという点にある。現在の音楽配信サービスでは、このような願望を実現することができない。
【００１１】
第４の問題点は、音声メッセージあるいは楽曲のみならず、音声メッセージと楽曲とを連続して相手に聞かせる手段がなく、このようなサービスを必要とする業者（法人ユーザ）ならびに一般の個人ユーザの願望に応えられないという点にある。
【００１２】
本発明は、前述のような問題を解決するためになされたものであり、現在、携帯電話網で普及しているショートメッセージサービスの概念を応用して、発信者からのテキストメッセージの代わりに、発信者が指定した楽曲または楽曲と音声メッセージとを着信側に配信する仕組みを提供することにより、発信者の意思により、着信側の相手に対して、指定した楽曲あるいは楽曲および音声メッセージを、著作権の問題を考慮せずに、聴取させることを可能とするマルチメディア型の音楽配信サービスを提供することを、その目的としている。
【課題を解決するための手段】
【００１３】
前述の課題を解決するため、本発明による音楽配信サービスシステム、配信サーバ装置、音楽配信方法、プログラムおよび記録媒体は、次のような特徴的な構成を採用している。
【００１４】
（１）発信側通信端末から、サービス番号を入力して、前記サービス番号により特定される音楽配信サービスを配信先の着信側通信端末に提供する配信サーバ装置を少なくとも備えた音楽配信サービスシステムであって、
前記配信サーバ装置に、音声ガイダンスを前記発信側通信端末および／または前記着信側通信端末に送信する音声応答手段と、配信を要求される音楽に関する楽曲を楽曲コードに対応付けてあらかじめ格納している楽曲データベースとを少なくとも備え、前記発信側通信端末から入力された前記サービス番号として、前記楽曲データベースに格納されている楽曲の中から、指定した楽曲を指定した着信通信端末に配信することを要求している場合、前記発信側通信端末から入力された楽曲コードに基づいて前記楽曲データベースの中から指定された楽曲を検索するとともに、前記発信側通信端末との接続が切断された後、配信開始時間としてあらかじめ定められた時間が経過した際に、前記発信側通信端末から指定されていた着信側通信端末に対して自動発信して、前記音声応答手段から、前記発信側通信端末からの依頼により楽曲を配信している旨の音声ガイダンスを送信した後、前記楽曲データベースの中から検索された前記楽曲を、前記着信側通信端末に対して配信する音楽配信サービスシステム。
（２）前記発信側通信端末が当該音楽配信サービスシステムに楽曲の配信を要求する際に入力された前記着信側通信端末のアドレスか、あるいは、当該音楽配信サービスシステムにあらかじめ登録されている前記着信側通信端末のアドレスかのいずれかにより、前記楽曲の配信先の着信側通信端末を指定する上記（１）の音楽配信サービスシステム。
（３）前記音声応答手段から、配信対象とする楽曲を特定する楽曲コードの入力を促す音声ガイダンスを前記発信側通信端末に対して送信することに応じて、前記発信側通信端末から入力されてくる前記楽曲コードを受け取る上記（１）または（２）の音楽配信サービスシステム。
（４）楽曲コードの入力を促す前記音声ガイダンスを前記発信側通信端末に対して送信した後、楽曲コード用入力制限時間としてあらかじめ定めた時間が経過するまでに、前記発信側通信端末から楽曲コードが入力されなかった場合、あるいは、入力された楽曲コードが正常ではなかった場合、前記発信側通信端末の音楽配信サービスを中止する上記（３）の音楽配信サービスシステム。
（５）前記着信側通信端末に対する前記楽曲の配信が終了した後、前記音声応答手段から前記楽曲の再配信を要求するか否かを問い合わせる音声ガイダンスを前記着信側通信端末に対して送信する上記（１）ないし（４）のいずれかの音楽配信サービスシステム。
（６）前記発信側通信端末が入力する前記サービス番号に応じて、前記着信側通信端末に対して自動発信する時点が、あらかじめ定めた前記配信開始時間が経過した時点ではなく、前記発信側通信端末から配信開始日時として任意に指定されている時点に切り替えて設定する上記（１）ないし（５）のいずれかの音楽配信サービスシステム。
（７）前記音声応答手段から、前記配信開始日時の入力を促す音声ガイダンスを前記発信側通信端末に対して送信することに応じて、前記発信側通信端末から入力されてくる前記配信開始日時を受け取る上記（６）の音楽配信サービスシステム。
（８）前記発信側通信端末が入力する前記サービス番号に応じて、前記発信通信端末から指定された前記楽曲を検索した際に、前記着信通信端末に自動発信する前に、前記発信側通信端末に対して指定された前記楽曲を配信する上記（１）ないし（７）のいずれかの音楽配信サービスシステム。
（９）前記発信側通信端末が入力する前記サービス番号に応じて、指定された楽曲の他に指定された音声メッセージを前記着信通信端末に対して配信する上記（１）ないし（８）のいずれかの音楽配信サービスシステム。
（１０）前記発信側通信端末が当該音楽配信サービスシステムに楽曲の配信を要求する際に入力された音声メッセージか、あるいは、当該音楽配信サービスシステムにあらかじめ登録されている音声メッセージかのいずれかにより、前記着信通信端末に対して配信する前記音声メッセージが設定される上記（９）の音楽配信サービスシステム。
（１１）前記発信側通信端末が当該音楽配信サービスシステムに楽曲の配信を要求する際に入力された前記音声メッセージを受け取る場合、前記音声応答手段から、前記音声メッセージの入力を促す音声ガイダンスを前記発信側通信端末に対して送信することに応じて、前記発信側通信端末から入力されてくる前記音声メッセージを受け取る上記（１０）の音楽配信サービスシステム。
（１２）前記発信側通信端末が入力する前記サービス番号に応じて、前記発信側通信端末が当該音楽配信サービスシステムに楽曲の配信を要求する際に、前記発信側通信端末の利用者のユーザ識別子とパスワードとを用いた認証を行う上記（１）ないし（１１）のいずれかの音楽配信サービスシステム。
（１３）前記発信側通信端末の利用者のユーザ識別子とパスワードとを前記発信側通信端末から受け取る場合、前記音声応答手段から、前記ユーザ識別子と前記パスワードとの入力を促す音声ガイダンスを前記発信側通信端末に対して送信することに応じて、前記発信側通信端末から入力されてくる前記ユーザ識別子と前記パスワードとを受け取る上記（１２）の音楽配信サービスシステム。
（１４）前記楽曲データベースにあらかじめ格納される楽曲は、ネットワークを介して、楽曲の提供を行うコンテンツ提供事業者のコンテンツ提供装置、または、法人ユーザ専用の端末装置から転送されてくる上記（１）ないし（１３）のいずれかの音楽配信サービスシステム。
（１５）当該音楽配信サービスシステムに、前記着信側通信端末のアドレス、および／または、前記音声メッセージをあらかじめ登録する場合、当該音楽配信サービスシステムの運営事業者が使用する制御端末から入力するか、あるいは、前記発信通信端末からネットワークを介して入力するか、あるいは、楽曲や音声メッセージの提供を行う法人ユーザ専用の端末装置からネットワークを介して入力するか、あるいは、一般の通信端末からネットワークを介して入力するか、のいずれかの手段を用いて登録する上記（１）ないし（１４）のいずれかの音楽配信サービスシステム。
（１６）前記ネットワークが、インターネットである上記（１４）または（１５）の音楽配信サービスシステム。
（１７）前記発信側通信端末および前記着信側通信端末が、携帯電話機、ＰＨＳ電話機、ＰＤＡ、携帯型ノートＰＣ、固定電話機、デスクトップ型ＰＣ、一般情報端末のいずれかからなっている上記（１）ないし（１６）のいずれかの音楽配信サービスシステム。
（１８）前記配信サーバ装置の前記楽曲データベースにあらかじめ格納される楽曲および当該音楽配信サービスシステムにあらかじめ登録されている情報をバックアップするバックアップ制御サーバ装置を備えている上記（１）ないし（１７）のいずれかの音楽配信サービスシステム。
（１９）楽曲の提供を行うコンテンツ提供事業者に関する情報および当該音楽配信サービスシステムとネットワークを介して接続される前記コンテンツ提供事業者のコンテンツ提供装置に関する情報、および／または、楽曲および／または音声メッセージの提供を行う法人ユーザに関する情報および当該音楽配信サービスシステムとネットワークを介して接続される前記法人ユーザの端末装置に関する情報を、管理するコンテンツ管理サーバ装置を備えている上記（１）ないし（１８）のいずれかの音楽配信サービスシステム。
（２０）発信側通信端末から入力されたサービス番号により特定される音楽配信サービスを配信先の着信側通信端末に提供する配信サーバ装置であって、前記配信サーバ装置に、音声ガイダンスを前記発信側通信端末および／または前記着信側通信端末に送信する音声応答手段と、配信を要求される音楽に関する楽曲を楽曲コードに対応付けてあらかじめ格納している楽曲データベースとを少なくとも備え、前記発信側通信端末から入力された楽曲コードに基づいて前記楽曲データベースの中から指定された楽曲を検索するとともに、前記発信側通信端末との接続が切断された後、前記発信側通信端末から指定されていた着信側通信端末に対して自動発信して、前記音声応答手段から、前記発信側通信端末からの依頼により楽曲を配信している旨の音声ガイダンスを送信した後、前記楽曲データベースの中から検索された前記楽曲を、前記着信側通信端末に対して配信する配信サーバ装置。
（２１）発信側通信端末から、サービス番号を入力して、前記サービス番号により特定される音楽配信サービスを配信先の着信側通信端末に提供する音楽配信サービスシステムにおける音楽配信方法であって、配信を要求される音楽に関する楽曲を楽曲コードに対応付けてあらかじめ格納している楽曲データベースを少なくとも有し、前記発信側通信端末から入力された前記サービス番号として、前記楽曲データベースに格納されている楽曲の中から、指定した楽曲を指定した着信通信端末に配信することを要求している場合、前記発信側通信端末から入力された楽曲コードに基づいて前記楽曲データベースの中から指定された楽曲を検索するとともに、前記発信側通信端末との接続が切断された後、配信開始時間としてあらかじめ定められた時間が経過した際に、前記発信側通信端末から指定されていた着信側通信端末に対して自動発信して、前記楽曲データベースの中から検索された前記楽曲を、前記着信側通信端末に対して配信する音楽配信方法。
（２２）前記発信側通信端末が当該音楽配信サービスシステムに楽曲の配信を要求する際に入力された前記着信側通信端末のアドレスか、あるいは、当該音楽配信サービスシステムにあらかじめ登録されている前記着信側通信端末のアドレスかのいずれかにより、前記楽曲の配信先の着信側通信端末を指定する上記（２１）の音楽配信方法。
（２３）前記発信側通信端末が入力する前記サービス番号に応じて、前記着信側通信端末に対して自動発信する時点が、あらかじめ定めた前記配信開始時間が経過した時点ではなく、前記発信側通信端末から配信開始日時として任意に指定されている時点に切り替えて設定する上記（２１）または（２２）の音楽配信方法。
（２４）前記発信側通信端末が入力する前記サービス番号に応じて、前記発信通信端末から指定された前記楽曲を検索した際に、前記着信通信端末に自動発信する前に、前記発信側通信端末に対して指定された前記楽曲を配信する上記（２１）ないし（２３）のいずれかの音楽配信方法。
（２５）前記発信側通信端末が入力する前記サービス番号に応じて、指定された楽曲の他に指定された音声メッセージを前記着信通信端末に対して配信する上記（２１）ないし（２４）のいずれかの音楽配信方法。
（２６）前記発信側通信端末が当該音楽配信サービスシステムに楽曲の配信を要求する際に入力された音声メッセージか、あるいは、当該音楽配信サービスシステムにあらかじめ登録されている音声メッセージかのいずれかにより、前記着信通信端末に対して配信する前記音声メッセージが設定される上記（２５）の音楽配信方法。
（２７）前記発信側通信端末が入力する前記サービス番号に応じて、前記発信側通信端末が当該音楽配信サービスシステムに楽曲の配信を要求する際に、前記発信側通信端末の利用者のユーザ識別子とパスワードとを用いた認証を行う上記（２１）ないし（２６）のいずれかの音楽配信方法。
（２８）前記楽曲データベースにあらかじめ格納される楽曲は、ネットワークを介して、コンテンツ提供事業者のコンテンツ提供装置、または、法人ユーザ専用の端末装置から転送されてくる上記（２１）ないし（２７）のいずれかの音楽配信方法。
（２９）当該音楽配信サービスシステムに、前記着信側通信端末のアドレス、および／または、前記音声メッセージをあらかじめ登録する場合、当該音楽配信サービスシステムの運営事業者が使用する制御端末から入力するか、あるいは、前記発信通信端末からネットワークを介して入力するか、あるいは、楽曲や音声メッセージの提供を行う法人ユーザ専用の端末装置からネットワークを介して入力するか、あるいは、一般の通信端末からネットワークを介して入力するか、のいずれかの手段を用いて登録する上記（２１）ないし（２８）のいずれかの音楽配信方法。
（３０）前記ネットワークが、インターネットである上記（２８）または（２９）の音楽配信方法。
（３１）上記（２１）ないし（３０）のいずれかの音楽配信方法を、コンピュータにより実行可能なプログラムとして実施している音楽配信プログラム。
（３２）上記（３１）の音楽配信プログラムを、コンピュータにより読み取り可能な記録媒体に格納しているプログラム記録媒体。
【発明の効果】
【００１５】
本発明の音楽配信サービスシステム、配信サーバ装置、音楽配信方法、プログラムおよび記録媒体によれば、現在、携帯電話網で普及しているショートメッセージサービスの概念を応用して、発信者が、テキストメッセージの代わりに、楽曲または楽曲と音声メッセージとを、着信側に対して配信する仕組みを実現し、発信側の利用者が、着信側の利用者に聞かせたい楽曲のリストをあらかじめ保有して、楽曲をユニークに特定可能な楽曲コードを選択して入力するだけで着信側の利用者に当該楽曲を聴取させることができるのみならず、発信側の利用者の音声メッセージも同時に聴取させることができる。このため、着信側の利用者においても、発信側の利用者が聞かせたいと思っている楽曲を知ることができるだけでなく、発信者の音声を音声メッセージとして直接聞くこともできる。
【００１６】
また、電子データのやり取りではなく、音声情報によって音楽を聞かせるという伝送媒体を用いているので、大容量のデータ通信をやり取りする必要がなく、ネットワーク資源の有効活用が可能である。また、著作権を音楽配信サービス提供者側で一元管理することができる。さらに、配信開始時刻の設定機能も有しているので、楽曲や音声メッセージの配信要求元や配信先にとって都合が良い時間を選ぶことができる。したがって、配信開始時刻を指定することにより、発信側ならびに着信側の各利用者のニーズおよび趣味や趣向に適合した、個性的な楽曲を提供するサービスとして享受することもできる。
【００１７】
而して、発信側の利用者が指定した着信側の利用者のニーズに合った多様な楽曲を、着信側の利用者にプレゼントすることによって、ネットワークサービスの活性化を図り、かつ、発信側の利用者のプレゼンスの向上を図ることができるとともに、さらには、発信側から提供される広告情報の配信サービスによる商業活動の促進を図ることもできる。
【発明を実施するための最良の形態】
【００１８】
以下、本発明による音楽配信サービスシステム、配信サーバ装置、音楽配信方法、プログラムおよび記録媒体の好適実施形態例について添付図を参照して説明する。なお、以下の説明においては、本発明による音楽配信サービスシステムおよび配信サーバ装置の実施例について詳細に説明することとするが、この詳細な説明により、本発明による音楽配信方法、プログラム、記録媒体に関する実施の形態についても容易に理解することが可能であるので、本発明による音楽配信方法、プログラム、記録媒体について、ここでの詳細な説明は省略する。
【００１９】
（実施例の構成）
図１は、本発明の音楽配信サービスシステムのシステム構成の一例を示すシステム構成図である。図１に示す音楽配信サービスシステム１００は、携帯電話網１０とインターワークし、音楽配信サービスを行う配信サーバ装置３と、音声応答装置４と、（副）楽曲データベース５と、各種外部装置と接続して音楽配信サービスシステム１００全体の保守用の制御を行うバックアップ制御サーバ装置１２と、加入者情報、楽曲ならびに音声メッセージを蓄積している（主）楽曲データベース１３と、コンテンツを管理するコンテンツ管理サーバ装置６と、制御端末１４とを少なくとも備えて構成されている。なお、本実施例においては、発信者、着信者が使用する通信端末すなわち発信側通信端末、着信側通信端末としていずれも携帯電話機１，２を用いている場合について説明する。
【００２０】
つまり、配信サーバ装置３は、各種音声ガイダンスを送信する音声応答装置４と、楽曲をユニークに特定可能な楽曲コードと対応付けて、各種の楽曲を格納している（副）楽曲データベース５とを備え、ＬＡＮ１５を介して、バックアップ制御サーバ装置１２に接続され、（副）楽曲データベース５に、（主）楽曲データベース１３からの楽曲のコピーが格納されるとともに、携帯電話網１０を介して、音楽配信サービス利用者が所持する携帯電話機１，２…と接続されて、配信サーバ装置３の音声応答装置４から音楽配信用に必要な音声ガイダンスを送信したり、利用者によって指定された楽曲を配信したりする。このため、配信サーバ装置３には、携帯電話網１０を形成する交換機とインターワークするための信号制御装置と音声を伝達するための通話回路も含んで構成される。
【００２１】
さらに、音楽配信サービスシステム１００は、ネットワーク例えばインターネット１１を経由して、コンテンツ提供事業者（ＣＰ）のコンテンツ提供装置８と接続され、（ＣＰ）楽曲データベース９から楽曲を転送させることも可能である。なお、インターネット１１を経由して、楽曲や音声メッセージの提供を行う法人ユーザの端末装置７とも接続され、法人向けの楽曲提供サービスも実施可能としている。
【００２２】
ここで、携帯電話網１０とインターワークする配信サーバ装置３、音声応答装置４および（副）楽曲データベース５は、音楽配信サービスシステム１００のメインの処理を実施する処理システムを形成しており、バックアップ制御サーバ装置１２に対する前処理を行う役目を果たす「フロントエンド」に位置付けられる。そして、バックアップ制御サーバ装置１２およびコンテンツ管理サーバ装置６ならびに（主）楽曲データベース１３は、配信サーバ装置３の音楽配信サービスの動作を支援するための処理システムを形成しており、「バックエンド」に位置付けられる。フロントエンドとバックエンドとはＬＡＮ１５で接続されている。コンテンツ管理サーバ装置６は、コンテンツ提供事業者のコンテンツ提供装置８や、あらかじめ登録されている法人ユーザの端末装置７と、インターネット１１を介して接続されている。また、バックアップ制御サーバ装置１２には、当該音楽配信サービスシステム１００の運営事業者が操作するための制御端末１４が接続されている。
【００２３】
なお、楽曲は、音楽配信サービスシステム１００の（主）楽曲データベース１３に、（副）楽曲データベース５のバックアップ用として格納されており、コンテンツ提供事業者（コンテンツプロバイダ）のコンテンツ提供装置８より、新規楽曲が（主）楽曲データベース１３にアップロードされると、同時に、配信サーバ装置３のハードディスク内に設けられた（副）楽曲データベース５にも同じ楽曲がコピーされて格納される。
【００２４】
また、本音楽配信サービスシステム１００は、前述のように、コンテンツ管理サーバ装置６を備えており、コンテンツ提供事業者（コンテンツプロバイダ）のコンテンツ提供装置８または法人ユーザの端末装置７から、楽曲ならびにあらかじめ録音された音声メッセージを、インターネット１１を介して、コンテンツ管理サーバ装置６内のコンテンツ管理データベース、バックアップ制御サーバ装置１２に備えられた（主）楽曲データベース１３、および、配信サーバ装置３内のハードディスクに構築されている（副）楽曲データベース５ならびに音声メッセージデータベース内にアップロードすることができる。コンテンツ管理データベース、（主）楽曲データベース１３、（副）楽曲データベース５では、楽曲はジャンル毎に分類され、コンテンツ管理者によってその状態が管理される。
【００２５】
さらに、コンテンツ管理サーバ装置６には、コンテンツ提供事業者（コンテンツプロバイダ）ならびに法人ユーザを事前に登録するための登録インターフェイスを備えており、音楽配信サービスシステム１００の運営事業者の制御端末１４より、それぞれを登録することができる。例えば、コンテンツ提供事業者のコンテンツ提供装置８や、法人ユーザの端末装置７のインターネット１１上のＩＰアドレスや、コンテンツ提供事業者や法人ユーザのユーザ識別子（Ｕ−ＩＤ）やパスワード（ＰＷＤ）などを登録することができる。登録された情報は、コンテンツ提供装置８のコンテンツ管理データベースに登録されると同時に、そのコピーが、配信サーバ装置３内のハードディスクに構築されているユーザ情報データベースにも格納される。
【００２６】
また、音楽配信サービスを利用する一般の個人ユーザの携帯電話機の電話番号、法人ユーザが所有の携帯電話機の電話番号、一般の個人ユーザや法人ユーザが楽曲を配信する際の配信先となる１ないし複数の着信携帯電話機の電話番号、一般の個人ユーザや法人ユーザが指定した着信携帯電話機に対して配信する１ないし複数の楽曲または楽曲コードを登録する登録インターフェイスも備えており、登録された情報は、バックアップ制御サーバ装置１２内のユーザ情報データベースにバックアップされて保存されると同時に、配信サーバ装置３内のハードディスクに構築されているユーザ情報データベースにも格納される。
【００２７】
（本実施例の動作の説明）
次に、図１の音楽配信サービスシステム１００の動作の一例について、図７のシーケンスチャートを用いて説明する。図７は、図１の音楽配信サービスシステム１００の動作の一例を示すシーケンスチャートであり、音楽配信サービスシステム１００の基本的サービスである楽曲配信サービスの動作の一例を説明するための呼の制御シーケンスを示している。以下の説明においては、図１の携帯電話機１が音楽配信サービスシステム１００へ発信する発信携帯電話機であり、携帯電話機２が、発信携帯電話機１から着信先として指定されて、音楽配信サービスシステム１００からの楽曲が配信される着信側の着信携帯電話機として説明する。
【００２８】
発信者は、発信携帯電話機１を操作して、音楽配信サービスシステム１００に対するサービスの要求種別を示すサービス特番ならびに着信側の着信携帯電話機２を示す着信携帯電話番号をダイアルする（シーケンスＳＱ２００）。音楽配信サービスシステム１００が応答すると（シーケンスＳＱ２０１）、配信サーバ装置３の音声応答装置４より音声ガイダンスが発信携帯電話機１に対して流れる（シーケンスＳＱ２０２）。該音声ガイダンスは、楽曲コードの入力を促すものであり、例えば、「こちらは音楽配信センターです。ご希望の楽曲の楽曲コードを入力してください。入力が終了しましたら＃を入力してください」などのメッセージとする。
【００２９】
発信携帯電話機１から出力される音声ガイダンスを聞いた発信加入者は、音声ガイダンスに従って、希望する楽曲を特定する楽曲コードを入力する（シーケンスＳＱ２０３）。ここで、楽曲コードは、楽曲をユニークに特定することができる情報として、携帯電話会社が提供するガイドブック、新聞、あるいは、インターネットのＷｅｂサイトなどに掲載されている情報であり、例えば、図８に示すように、４桁からなる数字コードＮ＝ｎ１ｎ２ｎ３ｎ４によって表される。
【００３０】
図８は、本発明の音楽配信サービスシステムにおいて使用される楽曲コードの一例を説明するための説明図である。楽曲ごとに、楽曲のプロファイルが定義されており、楽曲プロファイルはジャンル別に分類されている。図８に示すように、楽曲プロファイルが登録される楽曲プロファイルテーブル２３には、曲名、作曲家、作詞家、有効期限、料金、開始日、サービスコード、および、ファイル名などが格納されている。ここで、ファイル名は、実際の楽曲が格納されているファイルを特定する名前である。有効期限が切れた楽曲ならびに存在しない楽曲コードに該当する楽曲プロファイルテーブル２３には、デフォルトの楽曲のファイル名が記載されている。楽曲プロファイルテーブル２３は、楽曲コードＮ＝ｎ１ｎ２ｎ３ｎ４によって検索され、楽曲コード１桁目ｎ１により１次アドレステーブル２１が検索され、２桁目ｎ２により２次アドレステーブル２２が検索され、最終的に、４桁目ｎ４により図示していない４次アドレステーブルが検索されて、楽曲プロファイルテーブル２３が検索される。
【００３１】
図７に戻って、楽曲コードの入力を促す音声メッセージを送信してから楽曲コード入力用の入力制限時間としてあらかじめ指定された時間内に楽曲コードの入力がなかった場合、または、楽曲の配信サービスの取り消しを意味するコードとしてあらかじめ指定されたコード（例えば「＊」）が入力されると、配信サーバ装置３は、音声応答装置４から音楽配信サービスを中止する旨の音声ガイダンスを流して、音声ガイダンスの送信終了時に、発信携帯電話機１との間を接続していた呼を音楽配信サービスシステム１００側から強制的に開放する。
【００３２】
音楽配信サービスシステム１００は、前記入力制限時間内に、発信携帯電話機１から入力された楽曲コードの入力信号を検出すると（シーケンスＳＱ２０４）、入力を受信した旨を示す音声ガイダンスを配信サーバ装置３の音声応答装置４から発信携帯電話機１に流す（シーケンスＳＱ２０５）。該音声ガイダンスは、楽曲コードの受信確認用のメッセージであり、例えば、「ありがとうございました。電話をお切りください。」などのメッセージとする。発信携帯電話機１から出力される音声メッセージを聞いた発信者は、音声ガイダンスに従って、呼を切断する（シーケンスＳＱ２０７）。
【００３３】
一方、音楽配信サービスシステム１００の配信サーバ装置３は、入力された楽曲コードを用いて（副）楽曲データベース５に格納されている楽曲を検索する（シーケンスＳＱ２０６）。しかる後、音楽配信サービスシステム１００は、配信開始時間としてあらかじめ決められた時間が経過すると、発信携帯電話機１から指定されていた着信携帯電話機２に対して発呼する（シーケンスＳＱ２０８）。着信携帯電話機２からの応答信号を受け取ると（シーケンスＳＱ２０９）、音楽配信サービスシステム１００は、着信携帯電話機２へ音声ガイダンスを流す（シーケンスＳＱ２１０）。該音声ガイダンスは、楽曲の配信を通知するメッセージであり、例えば、「こちらは音楽配信センターです。ＸＸＸ−ＸＸＸＸ−ＸＸＸＸ様より楽曲の配信があります。」などのメッセージとする。
【００３４】
しかる後、音楽配信サービスシステム１００より、着信携帯電話機２に対して、指定されている楽曲の配信が音声情報として行われる（シーケンスＳＱ２１１）。楽曲の配信が終了した時点で、再び、音楽配信サービスシステム１００は、着信携帯電話機２へ音声ガイダンスを流す（シーケンスＳＱ２１２）。該音声ガイダンスは、楽曲の配信終了の通知用のメッセージであり、例えば、「もう一度お聴きになりたい場合には＊信号を入力してください。そうでなければ電話をお切りください。」などのメッセージとする。着信携帯電話機２から出力される音声メッセージを聞いた着信加入者は、音声ガイダンスに従って、呼を切断する（シーケンスＳＱ２１３）。
【００３５】
図７のシーケンスチャートに一例を示すような楽曲配信に関する動作を行う本発明の音楽配信サービスシステム１００に関するより具体的な実施例について、フローチャートを用いて、次に説明する。
【００３６】
（実施例１）
まず、実施例１として、図１の音楽配信サービスシステム１００に関する基本サービスの概要について、図２のフローチャートを用いて説明する。図２は、図１の音楽配信サービスシステムの実施例１の動作手順を示すフローチャートであり、基本サービスを実施する際の動作手順の一例を示している。ここで、基本サービスとは、図７にて説明したごとき動作手順による楽曲配信サービスのことであり、発信者が、発信携帯電話機１を操作してサービス特番ならびに着信側の着信携帯電話機２の電話番号をダイアルした後、音楽配信サービスシステム１００からの音声ガイダンスに従って楽曲コードを入力すると、発信者が呼を切断した後で、配信開始時間としてあらかじめ決められた時間が経過すると、音楽配信サービスシステム１００が発信携帯電話機１から受け取っていた着信側の電話番号の着信携帯電話機２に対して自動発呼して、発信者が指定してきた楽曲を着信者に聴取させることができるサービスを言う。
【００３７】
すなわち、図２は、音楽配信サービスシステム１００にて、発信者から指定された楽曲を検索して、検索された楽曲を発信者が指定した着信者に対して自動的に配信するサービスの動作手順を示したフローチャートである。その概要は次の通りである。発信者の発信携帯電話機１が発呼すると、音楽配信サービスシステム１００に備えられた配信サーバ装置３が応答して、音声応答装置４から音声ガイダンスを発信者に流す。発信者は、配信サーバ装置３の音声応答装置４から流れてきた音声ガイダンスに従って楽曲コードを入力する。楽曲コードが正しく入力されると、音楽配信サービスシステム１００が楽曲コードを受領した旨の音声ガイダンスを発信者に流す。
【００３８】
その後、音楽配信サービスシステム１００は発信者からの呼を開放し、あらかじめ決められた配信開始時間が経過すると、音楽配信サービスシステム１００は発信者から指定されていた着信者の着信携帯電話機２へ自動的に発呼する。着信者が応答すると、発信者が指定していた楽曲を、音楽配信サービスシステム１００の音声応答装置４から着信者に流す。着信者が呼を開放すると、音楽配信サービスシステム１００は着信者の着信携帯電話機２との間の回線を開放する。
【００３９】
以上の動作の詳細な手順を図２のフローチャートにしたがって説明する。まず、発信者は、発信携帯電話機１を操作して、音楽配信サービス用として携帯電話会社より指定されたサービス特番（例えば「９９１」）および楽曲を配信したい着信側の着信携帯電話機２の電話番号をダイアルする（ステップＳ１）。発信された呼は、携帯電話網１０を経由して、音楽配信サービスシステム１００の配信サーバ装置３に着信する（ステップＳ２）。配信サーバ装置３は、音声応答装置４から発信者に対して楽曲コードの入力を促す音声メッセージを送信するとともに、楽曲コード用入力制限時間としてあらかじめ定めた時間の経過を監視するために計時を開始する（ステップＳ３）。
【００４０】
発信携帯電話機１を介して配信サーバ装置３の音声応答装置４より流れる音声ガイダンスを聞いた発信者は、該音声ガイダンスに従い、楽曲を特定するためのコードとしてあらかじめ定められた例えば４桁の楽曲コード（楽曲−ＩＤ）を、発信携帯電話機１を操作して入力する（ステップＳ４）。なお、ここでは、ステップＳ３にて配信サーバ装置３の音声応答装置４から流す音声ガイダンスは、例えば、「こちらは音楽配信サービスセンターです。４桁の楽曲コードを入力してください」とする。
【００４１】
発信携帯電話機１からの楽曲コードが、音楽配信サービスシステム１００の配信サーバ装置３にて前記楽曲コード用入力制限時間内に正しく受理されると（ステップＳ５の「受領」の場合）、配信サーバ装置３は、音声応答装置４より音声ガイダンスを流す（ステップＳ６）。該音声ガイダンスは、ここでは、例えば、「楽曲コードに指定された楽曲を承りました。変更したい場合には、再度、楽曲コードを入力してください。そうでなければ、電話をお切りください」とする。発信携帯電話機１を介して配信サーバ装置３の音声応答装置４より流れる音声ガイダンスを聞いた発信者は、該音声ガイダンスに従い、発信携帯電話機１をオンフックして電話を切ると（ステップＳ７の「終了」の場合）、音楽配信サービスシステム１００の配信サーバ装置３は、その切断信号を受け取って、発信携帯電話機１との間の呼を開放する（ステップＳ８）。
【００４２】
しかる後、音楽配信サービスシステム１００の配信サーバ装置３は、発信携帯電話機１から入力された楽曲コードに基づいて、（副）楽曲データベース５を検索する。（副）楽曲データベース５に格納された楽曲の中から発信者から指定された楽曲を検索した後、配信サーバ装置３は、配信開始時間としてあらかじめ決められた時間が経過すると、発信者の発信携帯電話機１から受け取っていた着信側の電話番号の着信携帯電話機２に対して発呼する（ステップＳ９）。
【００４３】
着信携帯電話機２が応答すると（ステップＳ１０の「応答」の場合）、音楽配信サービスシステム１００の配信サーバ装置３は、音声応答装置４から着信携帯電話機２に対して音声ガイダンスを流す（ステップＳ１１）。該音声ガイダンスは、ここでは、例えば、「こちらは音楽配信サービスセンターです。ＸＸＸ-ＸＸＸＸ-ＸＸＸ様より依頼された楽曲を送信します。」とする。なお、ＸＸＸ-ＸＸＸＸ-ＸＸＸには、発信者の発信携帯電話機１の電話番号が合成された音声として挿入される。しかる後、配信サーバ装置３は、（副）楽曲データベース５から検索した楽曲を、着信携帯電話機２に対して音声情報として配信する（ステップＳ１２）。
【００４４】
音楽配信サービスシステム１００の配信サーバ装置３より楽曲の配信が終了すると、さらに、配信サーバ装置３の音声応答装置４より楽曲の配信が終了した旨を示す音声ガイダンスが着信携帯電話機２に対して流される（ステップＳ１３）。該音声ガイダンスは、ここでは、例えば、「もう一度お聞きになりたいときは（＊）を入力し、そうでないときは電話をお切りください。」とする。着信携帯電話機２を介して配信サーバ装置３の音声応答装置４より流れる音声ガイダンスを聞いた着信者は、該音声ガイダンスに従い、着信携帯電話機２をオンフックして電話を切ると（ステップＳ１４の「終了」の場合）、音楽配信サービスシステム１００の配信サーバ装置３は、その切断信号を受け取って、着信携帯電話機２との間の呼を開放する（ステップＳ１５）。
【００４５】
なお、ステップＳ５において、音楽配信サービスシステム１００の配信サーバ装置３にて発信携帯電話機１からの楽曲コードを前記楽曲コード用入力制限時間内に受け取れず、前記楽曲コード用入力制限時間がタイムアウトした場合（ステップＳ５の「タイムアウト」の場合）、発信携帯電話機１から受け取ったとしても楽曲コードが正しくなかった場合と同様、音楽配信サービスを行うことができないものとして、音楽配信サービスシステム１００の配信サーバ装置３は、音楽配信サービスを中止して、発信携帯電話機１との間の回線を切断する。
【００４６】
また、ステップＳ７において、発信者が、発信携帯電話機１を切断せずに、楽曲コードを変更するための楽曲コードの再入力動作を行おうとした場合（ステップＳ７の「変更」の場合）、ステップＳ４に戻って、楽曲コードの再入力を受け付ける。
【００４７】
また、ステップＳ１０において、着信携帯電話機２からの応答があらかじめ定めた時間内になされなかった場合は（ステップＳ１０の「応答なし」の場合）、楽曲配信サービスの実施が不可能と判定して、着信携帯電話機２への着信動作を終了する。
【００４８】
また、ステップＳ１４において、着信者が、着信携帯電話機２を切断せずに、「＊」ボタンを入力して楽曲の再配信を要求してきた場合は（ステップＳ１４の「実施」の場合）、ステップＳ１２に戻って、楽曲の配信動作を繰り返す。
【００４９】
（実施例２）
次に、実施例２として、図１の音楽配信サービスシステム１００に関する音楽配信時刻指定サービスの概要について、図３のフローチャートを用いて説明する。図３は、図１の音楽配信サービスシステムの実施例２の動作手順を示すフローチャートであり、発信者が着信者に対して音楽を配信する時刻を指定する音楽配信時刻指定サービスを実施する際の動作手順の一例を示している。すなわち、実施例１の場合とは異なり、音楽配信サービスシステム１００から着信者へ楽曲を配信する配信開始時刻が、発信携帯電話機１の切断後あらかじめ定められた一定時間が経過した時点ではなく、発信者が配信開始日時として任意に指定した時刻に達した時点で、音楽配信サービスシステム１００から着信者へ、発信者から指定された楽曲を配信するサービスの手順の一例を示している。
【００５０】
まず、発信者は、発信携帯電話機１を操作して、配信時刻指定の音楽配信サービス用として携帯電話会社より指定されたサービス特番（例えば「９９２」）および楽曲を配信したい着信側の着信携帯電話機２の電話番号をダイアルする（ステップＳ２１）。発信された呼は、携帯電話網１０を経由して、音楽配信サービスシステム１００の配信サーバ装置３に着信する（ステップＳ２２）。配信サーバ装置３は、音声応答装置４より発信者に対して楽曲コードの入力を促す音声メッセージを送信するとともに、楽曲コード用入力制限時間としてあらかじめ定めた時間の経過を監視するために計時を開始する（ステップＳ２３）。
【００５１】
発信携帯電話機１を介して配信サーバ装置３の音声応答装置４より流れる音声ガイダンスを聞いた発信者は、該音声ガイダンスに従い、楽曲を特定するためのコードとしてあらかじめ定められた例えば４桁の楽曲コード（楽曲−ＩＤ）を、発信携帯電話機１を操作して入力する（ステップＳ２４）。なお、ここでは、ステップＳ２３にて配信サーバ装置３の音声応答装置４から流す音声ガイダンスは、実施例１の場合と同様、例えば、「こちらは音楽配信サービスセンターです。４桁の楽曲コードを入力してください」とする。
【００５２】
発信携帯電話機１からの楽曲コードが、音楽配信サービスシステム１００の配信サーバ装置３にて前記楽曲コード用入力制限時間内に正しく受理されると（ステップＳ２５の「受領」の場合）、配信サーバ装置３は、音声応答装置４より音声ガイダンスを流すとともに、配信開始時刻用入力制限時間としてあらかじめ定めた時間の経過を監視するために計時を開始する（ステップＳ２６）。該音声ガイダンスは、配信時間指定のサービス特番を受け取っている本実施例では、実施例１の場合とは異なり、例えば、「楽曲コードに指定された楽曲を承りました。配信開始時刻を指定してください。そうでなければ＃を入力してください。」とする。
【００５３】
発信携帯電話機１を介して配信サーバ装置３の音声応答装置４より流れる音声ガイダンスを聞いた発信者は、該音声ガイダンスに従い、発信携帯電話機１を操作して、着信者へ楽曲を配信する指定時刻すなわち配信開始時刻を例えば４桁で（時、分をそれぞれ２桁ずつ）入力する（ステップＳ２７）。ただし、本発明においては、配信開始時刻を、年月日も含めて指定することを可能としてももちろんかまわない。発信携帯電話機１からの配信開始時刻が、音楽配信サービスシステム１００の配信サーバ装置３にて前記配信開始時刻用入力制限時間内に正しく受理されると（ステップＳ２８の「受領」の場合）、配信サーバ装置３は、音声応答装置４より音声ガイダンスを流す（ステップＳ２９）。該音声ガイダンスは、ここでは、例えば、「楽曲の配信を開始する配信開始時刻を承りました。変更したい場合には、再度、配信開始時刻を入力してください。そうでなければ、電話をお切りください」とする。
【００５４】
発信携帯電話機１を介して配信サーバ装置３の音声応答装置４より流れる音声ガイダンスを聞いた発信者は、該音声ガイダンスに従い、発信携帯電話機１をオンフックして電話を切ると（ステップＳ３０の「終了」の場合）、音楽配信サービスシステム１００の配信サーバ装置３は、その切断信号を受け取って、発信携帯電話機１との間の呼を開放する（ステップＳ３１）。
【００５５】
しかる後、音楽配信サービスシステム１００の配信サーバ装置３は、発信携帯電話機１から入力された楽曲コードに基づいて、（副）楽曲データベース５を検索する。（副）楽曲データベース５に格納された楽曲の中から発信者から指定された楽曲を検索した後、配信サーバ装置３は、発信者から指定された配信開始時刻に達すると、発信者の発信携帯電話機１から受け取っていた着信側の電話番号の着信携帯電話機２に対して発呼する（ステップＳ３２）。
【００５６】
着信携帯電話機２が応答すると（ステップＳ３３の「応答」の場合）、音楽配信サービスシステム１００の配信サーバ装置３は、音声応答装置４から着信携帯電話機２に対して音声ガイダンスを流す（ステップＳ３４）。該音声ガイダンスは、実施例１の場合と同様、例えば、「こちらは音楽配信サービスセンターです。ＸＸＸ-ＸＸＸＸ-ＸＸＸ様より依頼された楽曲を送信します。」とする。なお、ＸＸＸ-ＸＸＸＸ-ＸＸＸには、発信者の発信携帯電話機１の電話番号が合成された音声として挿入される。しかる後、配信サーバ装置３は、（副）楽曲データベース５から検索した楽曲を、着信携帯電話機２に対して音声情報として配信する（ステップＳ３５）。
【００５７】
音楽配信サービスシステム１００の配信サーバ装置３より楽曲の配信が終了すると、さらに、配信サーバ装置３の音声応答装置４より楽曲の配信が終了した旨を示す音声ガイダンスが着信携帯電話機２に対して流される（ステップＳ３６）。該音声ガイダンスは、実施例１の場合と同様、例えば、「もう一度お聞きになりたいときは（＊）を入力し、そうでないときは電話をお切りください。」とする。着信携帯電話機２を介して配信サーバ装置３の音声応答装置４より流れる音声ガイダンスを聞いた着信者は、該音声ガイダンスに従い、着信携帯電話機２をオンフックして電話を切ると（ステップＳ３７の「終了」の場合）、音楽配信サービスシステム１００の配信サーバ装置３は、その切断信号を受け取って、着信携帯電話機２との間の呼を開放する（ステップＳ３８）。
【００５８】
なお、ステップＳ２５において、音楽配信サービスシステム１００の配信サーバ装置３にて発信携帯電話機１からの楽曲コードを前記楽曲コード用入力制限時間内に受け取れず、前記楽曲コード用入力制限時間がタイムアウトした場合（ステップＳ２５の「タイムアウト」の場合）、発信携帯電話機１から受け取ったとしても楽曲コードが正しくなかった場合と同様、音楽配信サービスを行うことができないものとして、音楽配信サービスシステム１００の配信サーバ装置３は、音楽配信サービスを中止して、発信携帯電話機１との間の回線を切断する。
【００５９】
また、ステップＳ２８において、音楽配信サービスシステム１００の配信サーバ装置３にて発信携帯電話機１からの配信開始時刻を前記配信開始時刻用入力制限時間内に受け取れず、前記配信開始時刻用入力制限時間がタイムアウトした場合（ステップＳ２８の「タイムアウト」の場合）、発信携帯電話機１から受け取ったとしても配信開始時刻が正しくなかった場合と同様、音楽配信サービスを行うことができないものとして、音楽配信サービスシステム１００の配信サーバ装置３は、発信携帯電話機１との間の回線を切断する。なお、ステップＳ２８において、配信開始時刻ではなく、「＊」を受け取っていた場合は、発信者から指定された配信開始時刻の代わりに、当該音楽配信サービスシステム１００のデフォルト値としてあらかじめ定めた配信開始時間を用いて、当該配信開始時間が経過した時点で着信側への自動発信動作を起動することになる。
【００６０】
また、ステップＳ３０において、発信者が、発信携帯電話機１を切断せずに、配信開始時刻を変更するための配信開始時刻の再入力動作を行おうとした場合（ステップＳ３０の「変更」の場合）、ステップＳ２７に戻って、楽曲コードの再入力を受け付ける。なお、図３には示していないが、実施例１の場合と同様、発信者が、楽曲コードを変更したい場合も、同様に、楽曲コードの再入力を受け付けるようにしても良い。
【００６１】
また、ステップＳ３３において、着信携帯電話機２からの応答があらかじめ定めた時間内になされなかった場合は（ステップＳ３３の「応答なし」の場合）、楽曲配信サービスの実施が不可能と判定して、着信携帯電話機２への着信動作を終了する。
【００６２】
また、ステップＳ３７において、着信者が、着信携帯電話機２を切断せずに、「＊」ボタンを入力して楽曲の再配信を要求してきた場合は（ステップＳ３７の「実施」の場合）、ステップＳ３５に戻って、楽曲の配信動作を繰り返す。
【００６３】
（実施例３）
次に、実施例３として、図１の音楽配信サービスシステム１００に関する音楽および音声メッセージ配信サービスの概要について、図４のフローチャートを用いて説明する。図４は、図１の音楽配信サービスシステムの実施例３の動作手順を示すフローチャートであり、発信者が着信者に対して指定した音楽の配信と同時に、任意に入力した音声メッセージの配信を行う音楽および音声メッセージ配信サービスを実施する際の動作手順の一例を示している。すなわち、音楽配信サービスシステム１００から着信者に対して、発信者から指定された楽曲を配信すると同時に、発信者から入力されている音声メッセージも、音楽配信サービスシステム１００から着信者へ配信するサービスの手順の一例を示している。なお、本実施例についても、実施例２の場合と同様に、発信者が配信開始時刻を指定することが可能な配信時刻指定サービスと併用するようにしても良い。
【００６４】
まず、発信者は、発信携帯電話機１を操作して、音楽および音声メッセージの配信サービス用として携帯電話会社より指定されたサービス特番（例えば「９９３」）および楽曲、音声メッセージを配信したい着信側の着信携帯電話機２の電話番号をダイアルする（ステップＳ４１）。発信された呼は、携帯電話網１０を経由して、音楽配信サービスシステム１００の配信サーバ装置３に着信する（ステップＳ４２）。配信サーバ装置３は、音声応答装置４より発信者に対して楽曲コードの入力を促す音声メッセージを送信するとともに、楽曲コード用入力制限時間としてあらかじめ定めた時間の経過を監視するために計時を開始する（ステップＳ４３）。
【００６５】
発信携帯電話機１を介して配信サーバ装置３の音声応答装置４より流れる音声ガイダンスを聞いた発信者は、該音声ガイダンスに従い、楽曲を特定するためのコードとしてあらかじめ定められた例えば４桁の楽曲コード（楽曲−ＩＤ）を、発信携帯電話機１を操作して入力する（ステップＳ４４）。なお、ここでは、ステップＳ４３にて配信サーバ装置３の音声応答装置４から流す音声ガイダンスは、実施例１の場合と同様、例えば、「こちらは音楽配信サービスセンターです。４桁の楽曲コードを入力してください」とする。
【００６６】
発信携帯電話機１からの楽曲コードが、音楽配信サービスシステム１００の配信サーバ装置３にて前記楽曲コード用入力制限時間内に正しく受理されると（ステップＳ４５の「受領」の場合）、配信サーバ装置３は、音声応答装置４より音声ガイダンスを流すとともに、音声メッセージ用入力制限時間としてあらかじめ定めた時間の経過を監視するために計時を開始する（ステップＳ４６）。該音声ガイダンスは、音楽および音声メッセージ配信用のサービス特番を受け取っている本実施例では、実施例１の場合とは異なり、例えば、「楽曲コードに指定された楽曲を承りました。訂正したい場合には（＊）を入力してください。引き続き、音声メッセージを入力したい場合にはピーという合図の後、１分以内で音声メッセージを入力してください。音声メッセージを入力しないで終了する場合には（＃）を入力してください。」とする。
【００６７】
発信携帯電話機１を介して配信サーバ装置３の音声応答装置４より流れる音声ガイダンスを聞いた発信者は、着信者へ配信する楽曲に訂正がない場合は（ステップＳ４７の「継続」の場合）、該音声ガイダンスに従い、指定した楽曲に先立って着信者へ送信したい音声メッセージを、発信携帯電話機１のマイクから入力する（ステップＳ４８）。発信携帯電話機１からの音声メッセージが、音楽配信サービスシステム１００の配信サーバ装置３にて前記音声メッセージ用入力制限時間内に正しく受理されると（ステップＳ４９の「受領」の場合）、配信サーバ装置３は受け取った音声メッセージを１分間録音するとともに、音声応答装置４より音声ガイダンスを流す（ステップＳ５０）。該音声ガイダンスは、ここでは、例えば、「音声メッセージを承りました。電話をお切りください。」とする。
【００６８】
発信携帯電話機１を介して配信サーバ装置３の音声応答装置４より流れる音声ガイダンスを聞いた発信者は、該音声ガイダンスに従い、発信携帯電話機１をオンフックして電話を切ると、音楽配信サービスシステム１００の配信サーバ装置３は、その切断信号を受け取って、発信携帯電話機１との間の呼を開放する（ステップＳ５１）。
【００６９】
しかる後、音楽配信サービスシステム１００の配信サーバ装置３は、発信携帯電話機１から入力された楽曲コードに基づいて、（副）楽曲データベース５を検索する。（副）楽曲データベース５に格納された楽曲の中から発信者から指定された楽曲を検索した後、配信サーバ装置３は、配信開始時間としてあらかじめ決められた時間が経過すると、発信者の発信携帯電話機１から受け取っていた着信側の電話番号の着信携帯電話機２に対して発呼する（ステップＳ５２）。
【００７０】
着信携帯電話機２が応答すると（ステップＳ５３の「応答」の場合）、音楽配信サービスシステム１００の配信サーバ装置３は、音声応答装置４から着信携帯電話機２に対して音声ガイダンスを流す（ステップＳ５４）。該音声ガイダンスは、音楽および音声メッセージ配信サービスを行う本実施例では、実施例１の場合とは異なり、例えば、「こちらは音楽配信サービスセンターです。ＸＸＸ-ＸＸＸＸ-ＸＸＸ様より依頼された音声メッセージおよび楽曲を送信します。」とする。なお、ＸＸＸ-ＸＸＸＸ-ＸＸＸには、発信者の発信携帯電話機１の電話番号が合成された音声として挿入される。しかる後、配信サーバ装置３は、録音していた発信者からの音声メッセージを送信した後、（副）楽曲データベース５から検索した楽曲を、着信携帯電話機２に対して音声情報として配信する（ステップＳ５５）。
【００７１】
音楽配信サービスシステム１００の配信サーバ装置３より楽曲の配信が終了すると、さらに、音声応答装置４より楽曲の配信が終了した旨を示す音声ガイダンスが着信携帯電話機２に対して流される（ステップＳ５６）。該音声ガイダンスは、実施例１の場合と同様、例えば、「もう一度お聞きになりたいときは（＊）を入力し、そうでないときは電話をお切りください。」である。着信携帯電話機２を介して配信サーバ装置３の音声応答装置４より流れる音声ガイダンスを聞いた着信者は、該音声ガイダンスに従い、着信携帯電話機２をオンフックして電話を切ると（ステップＳ５７の「終了」の場合）、音楽配信サービスシステム１００の配信サーバ装置３は、その切断信号を受け取って、着信携帯電話機２との間の呼を開放する（ステップＳ５８）。
【００７２】
なお、ステップＳ４７において、発信者が、楽曲コードを変更するために、発信携帯電話機１から「＊」ボタンを入力した場合（ステップＳ７の「＊」の場合）、ステップＳ４４に戻って、楽曲コードの再入力を受け付ける。一方、音声メッセージの入力はないものとして、発信者が、発信携帯電話機１から「＃」ボタンを入力した場合（ステップＳ７の「＊」の場合）、発信者は音楽および音声メッセージ配信サービスを中止したものとして、音楽配信サービスシステム１００の配信サーバ装置３は、発信携帯電話機１との間の回線を切断する。ただし、「＃」ボタンを入力した場合には、実施例１の場合の音楽配信サービスの提供が要求されたものとして、実施例１の場合と同様に、発信者から指定された楽曲のみを着信者側に配信するサービスに切り替えるようにしても良い。
【００７３】
また、前述の図４においては、ステップＳ４８にて、発信した際に、発信者が、発信携帯電話機１から音声メッセージを入力する場合について説明したが、音楽配信サービスシステム１００にあらかじめ登録されている音声メッセージ（当該発信者があらかじめ登録した音声メッセージのみならず、音楽配信用のメッセージとして登録されている定型的な音声メッセージも含む）の中から選択して指定するようにしても良い。
【００７４】
また、ステップＳ４５において、音楽配信サービスシステム１００の配信サーバ装置３にて発信携帯電話機１からの楽曲コードを前記楽曲コード用入力制限時間内に受け取れず、前記楽曲コード用入力制限時間がタイムアウトした場合（ステップＳ４５の「タイムアウト」の場合）、発信携帯電話機１から受け取ったとしても楽曲コードが正しくなかった場合と同様、音楽配信サービスを行うことができないものとして、音楽配信サービスシステム１００の配信サーバ装置３は、音楽配信サービスを中止して、発信携帯電話機１との間の回線を切断する。
【００７５】
また、ステップＳ４９において、音楽配信サービスシステム１００の配信サーバ装置３にて発信携帯電話機１からの音声メッセージを前記音声メッセージ用入力制限時間内に受け取れず、前記音声メッセージ用入力制限時間がタイムアウトした場合（ステップＳ４９の「タイムアウト」の場合）、音楽配信サービスを行うことができないものとして、音楽配信サービスシステム１００の配信サーバ装置３は、発信携帯電話機１との間の回線を切断する。
【００７６】
また、ステップＳ５３において、着信携帯電話機２からの応答があらかじめ定めた時間内になされなかった場合は（ステップＳ５３の「応答なし」の場合）、楽曲配信サービスの実施が不可能と判定して、着信携帯電話機２への着信動作を終了する。
【００７７】
また、ステップＳ５７において、着信者が、着信携帯電話機２を切断せずに、「＊」ボタンを入力して楽曲の再配信を要求してきた場合は（ステップＳ５７の「実施」の場合）、ステップＳ５５に戻って、楽曲の配信動作を繰り返す。
【００７８】
（実施例４）
次に、実施例４として、図１の音楽配信サービスシステム１００に関する楽曲確認後配信サービスの概要について、図５のフローチャートを用いて説明する。図５は、図１の音楽配信サービスシステムの実施例４の動作手順を示すフローチャートであり、発信者が着信者に対して配信したい楽曲として指定した後、当該楽曲を発信者が即時に確認し、しかる後、着信者に対して配信を行う楽曲確認後配信サービスを実施する際の動作手順の一例を示している。すなわち、音楽配信サービスシステム１００から着信者に対して、発信者から指定された楽曲を配信する前に、発信者自身が指定した楽曲を確認するために、音楽配信サービスシステム１００から発信携帯電話機１に即時に当該楽曲を配信するサービスの手順の一例を示している。
【００７９】
なお、図５には、着信側の着信携帯電話機２への配信動作については、実施例１の場合と全く同様であるので、着信携帯電話機２側の動作を示すフローチャートは省略している。また、本実施例についても、実施例２の場合と同様に、着信携帯電話機２への配信開始時刻を発信者側で任意に指定するようにしても良いし、また、実施例３の場合と同様に、発信者の音声メッセージを付した形で着信携帯電話機２側へ楽曲を配信するようにしても良い。
【００８０】
図５において、まず、発信者は、発信携帯電話機１を操作して、楽曲確認後配信サービス用として携帯電話会社より指定されたサービス特番（例えば「９９４」）および楽曲を配信したい着信側の着信携帯電話機２の電話番号をダイアルする（ステップＳ７１）。発信された呼は、携帯電話網１０を経由して、音楽配信サービスシステム１００の配信サーバ装置３に着信する（ステップＳ７２）。配信サーバ装置３は、音声応答装置４より発信者に対して楽曲コードの入力を促す音声メッセージを送信するとともに、楽曲コード用入力制限時間としてあらかじめ定めた時間の経過を監視するために計時を開始する（ステップＳ７３）。
【００８１】
発信携帯電話機１を介して配信サーバ装置３の音声応答装置４より流れる音声ガイダンスを聞いた発信者は、該音声ガイダンスに従い、楽曲を特定するためのコードとしてあらかじめ定められた例えば４桁の楽曲コード（楽曲−ＩＤ）を、発信携帯電話機１を操作して入力する（ステップＳ７４）。なお、ここでは、ステップＳ７３にて配信サーバ装置３の音声応答装置４から流す音声ガイダンスは、実施例１の場合と同様、例えば、「こちらは音楽配信サービスセンターです。４桁の楽曲コードを入力してください」とする。
【００８２】
発信携帯電話機１からの楽曲コードが、音楽配信サービスシステム１００の配信サーバ装置３にて前記楽曲コード用入力制限時間内に正しく受理されると（ステップＳ７５の「受領」の場合）、配信サーバ装置３は、発信携帯電話機１から入力された楽曲コードに基づいて、（副）楽曲データベース５を検索する。（副）楽曲データベース５に格納された楽曲の中から発信者から指定された楽曲を検索した後、検索した楽曲を当該発信者に確認させるために、（副）楽曲データベース５から検索した楽曲を、発信携帯電話機１に対して配信する（ステップＳ７６）。
【００８３】
楽曲の配信が終了すると、さらに、配信サーバ装置３は、楽曲の配信が終了した旨を示す音声ガイダンスを音声応答装置４から発信携帯電話機１に対して流す（ステップＳ７７）。該音声ガイダンスは、例えば、「楽曲コードを訂正したい場合には（＊）を入力してください。そうでないときは電話をお切りください。」とする。発信携帯電話機１を介して配信サーバ装置３の音声応答装置４より流れる音声ガイダンスを聞いた発信者は、該音声ガイダンスに従い、発信携帯電話機１をオンフックして電話を切ると（ステップＳ７８の「終了」の場合）、音楽配信サービスシステム１００の配信サーバ装置３は、その切断信号を受け取って、発信携帯電話機１との間の呼を開放する（ステップＳ７９）。
【００８４】
しかる後は、配信サーバ装置３は、配信開始時間としてあらかじめ決められた時間が経過した時点で、発信者の発信携帯電話機１から受け取っていた着信側の電話番号の着信携帯電話機２に対して、発信者によって確認された楽曲を配信するために、図２に示す実施例１におけるステップＳ９以降の動作と同様の動作を行う。
【００８５】
なお、ステップＳ７８において、発信者が、楽曲コードを訂正するために、発信携帯電話機１から「＊」ボタンを入力した場合（ステップＳ７８の「訂正」の場合）、ステップＳ７４に戻って、楽曲コードの再入力を受け付ける。また、例えば、複数の楽曲を着信者に配信したい場合は、ステップＳ７８にて、例えば「＃」ボタンを入力することによって、次の楽曲コードを追加して入力させるようにしても良い。
【００８６】
また、ステップＳ７５において、音楽配信サービスシステム１００の配信サーバ装置３にて発信携帯電話機１からの楽曲コードを前記楽曲コード用入力制限時間内に受け取れず、前記楽曲コード用入力制限時間がタイムアウトした場合（ステップＳ７５の「タイムアウト」の場合）、発信携帯電話機１から受け取ったとしても楽曲コードが正しくなかった場合と同様、音楽配信サービスを行うことができないものとして、音楽配信サービスシステム１００の配信サーバ装置３は、音楽配信サービスを中止して、発信携帯電話機１との間の回線を切断する。
【００８７】
（実施例５）
次に、実施例５として、図１の音楽配信サービスシステム１００に関する法人による音楽および／または音声メッセージ配信サービスの概要について、図６のフローチャートを用いて説明する。図６は、図１の音楽配信サービスシステムの実施例５の動作手順を示すフローチャートであり、法人発信者があらかじめ登録している音楽および／または音声メッセージの配信を、あらかじめ登録された着信者に対して行うという法人による音楽および／または音声メッセージ配信サービスを実施する際の動作手順の一例を示している。すなわち、楽曲や音声メッセージを業務として提供している法人発信者の場合であり、該法人発信者によってあらかじめ登録された着信者に対して、音楽配信サービスシステム１００から、当該法人発信者によってあらかじめ登録されている楽曲の中から選択した楽曲を配信すると同時に、さらには、当該法人発信者から入力されて登録されている音声メッセージも、音楽配信サービスシステム１００から着信者へ配信するサービスの手順の一例を示している。なお、本実施例についても、実施例２の場合と同様に、発信者が配信開始時刻を指定することが可能な配信時刻指定サービスと併用するようにしても良いし、実施例４の場合と同様に、法人発信者により楽曲の確認後に着信者へ配信するようにしても良い。
【００８８】
まず、法人ユーザである発信者は、発信携帯電話機１を操作して、法人による音楽および／または音声メッセージ配信サービスとして携帯電話会社より指定されたサービス特番（例えば「９９５」）および楽曲を配信したい着信側の着信携帯電話機２の電話番号をダイアルする（ステップＳ９１）。発信された呼は、携帯電話網１０を経由して、音楽配信サービスシステム１００の配信サーバ装置３に着信する（ステップＳ９２）。配信サーバ装置３は、法人ユーザである発信者に対してユーザ識別子（Ｕ−ＩＤ）とパスワード（ＰＷＤ）の入力を促す音声ガイダンスを音声応答装置４から送信するとともに、ユーザ識別子およびパスワード用入力制限時間としてあらかじめ定めた時間の経過を監視するために計時を開始する（ステップＳ９３）。
【００８９】
発信携帯電話機１を介して配信サーバ装置３の音声応答装置４より流れる音声ガイダンスを聞いた法人ユーザの発信者は、該音声ガイダンスに従い、当該法人ユーザにあらかじめ割り当てられているユーザ識別子とパスワードとを、発信携帯電話機１を操作して入力する（ステップＳ９４）。なお、ここでは、ステップＳ９３にて配信サーバ装置３の音声応答装置４から流す音声ガイダンスは、例えば、「こちらは音楽配信サービスセンターです。割り当てられておりますユーザ識別子とパスワードとを入力してください。」とする。
【００９０】
発信携帯電話機１からのユーザＩＤとパスワードとが、音楽配信サービスシステム１００の配信サーバ装置３にて前記ユーザ識別子およびパスワード用入力制限時間内に正しく受理されると（ステップＳ９５の「受領」の場合）、配信サーバ装置３は、図６に示していないが、確認のため、ユーザ識別子およびパスワードの再入力を要求する音声ガイダンスを音声応答装置４より送信するとともに、ユーザ識別子およびパスワード用入力制限時間としてあらかじめ定めた時間の経過を監視するために計時を再度開始する（ステップＳ９３）。ここで流す音声ガイダンスは、例えば、「確認のため、ユーザ識別子とパスワードとを再度入力してください。」とする。
【００９１】
発信携帯電話機１から再入力されたユーザＩＤとパスワードとが、音楽配信サービスシステム１００の配信サーバ装置３にて前記ユーザ識別子およびパスワード用入力制限時間内に正しく受理され、法人ユーザとしての認証が終了すると（ステップＳ９５の「受領」の場合）、配信サーバ装置３は、法人ユーザである発信者に対して楽曲コードの入力を促す音声メッセージを音声応答装置４より送信するとともに、楽曲コード用入力制限時間としてあらかじめ定めた時間の経過を監視するために計時を開始する（ステップＳ９６）。
【００９２】
発信携帯電話機１を介して配信サーバ装置３の音声応答装置４より流れる音声ガイダンスを聞いた発信者は、該音声ガイダンスに従い、楽曲を特定するためのコードとしてあらかじめ定められた例えば４桁の楽曲コード（楽曲−ＩＤ）を、発信携帯電話機１を操作して入力する（ステップＳ９７）。なお、ここでは、ステップＳ９７にて配信サーバ装置３の音声応答装置４から流す音声ガイダンスは、例えば、「４桁の楽曲コードを入力してください」とする。
【００９３】
発信携帯電話機１からの楽曲コードが、音楽配信サービスシステム１００の配信サーバ装置３にて前記楽曲コード用入力制限時間内に正しく受理されると（ステップＳ９８の「受領」の場合）、配信サーバ装置３は、音声応答装置４より音声ガイダンスを流す（ステップＳ９９）。該音声ガイダンスは、ここでは、例えば、「楽曲コードに指定された楽曲を承りました。変更したい場合には、再度、楽曲コードを入力してください。そうでなければ、電話をお切りください」とする。発信携帯電話機１を介して配信サーバ装置３の音声応答装置４より流れる音声ガイダンスを聞いた法人ユーザの発信者は、該音声ガイダンスに従い、発信携帯電話機１をオンフックして電話を切ると（ステップＳ１００の「終了」の場合）、音楽配信サービスシステム１００の配信サーバ装置３は、その切断信号を受け取って、発信携帯電話機１との間の呼を開放する（ステップＳ１０１）。
【００９４】
しかる後、音楽配信サービスシステム１００の配信サーバ装置３は、発信携帯電話機１から入力された楽曲コードに基づいて、（副）楽曲データベース５を検索する。（副）楽曲データベース５に格納された楽曲の中から発信者から指定された楽曲を検索した後、配信サーバ装置３は、配信開始時間としてあらかじめ決められた時間が経過すると、発信者である法人ユーザからあらかじめ登録されている着信側の電話番号の着信携帯電話機２に対して発呼する（ステップＳ１０２）。
【００９５】
着信携帯電話機２が応答すると（ステップＳ１０３の「応答」の場合）、音楽配信サービスシステム１００の配信サーバ装置３は、音声応答装置４から着信携帯電話機２に対して音声ガイダンスを流す（ステップＳ１０４）。該音声ガイダンスは、ここでは、例えば、「こちらは音楽配信サービスセンターです。ＸＸＸＸ社より依頼された依頼された楽曲を送信します。」とする。なお、ＸＸＸＸ社には、発信者として認証された法人ユーザとしての名称が合成された音声として挿入される。しかる後、配信サーバ装置３は、（副）楽曲データベース５から検索した楽曲を、着信携帯電話機２に対して音声情報として配信する（ステップＳ１０５）。
【００９６】
音楽配信サービスシステム１００の配信サーバ装置３より楽曲の配信が終了すると、さらに、音声応答装置４より楽曲の配信が終了した旨を示す音声ガイダンスが着信携帯電話機２に対して流される（ステップＳ１０６）。該音声ガイダンスは、実施例１の場合と同様、例えば、「もう一度お聞きになりたいときは（＊）を入力し、そうでないときは電話をお切りください。」とする。着信携帯電話機２を介して配信サーバ装置３の音声応答装置４より流れる音声ガイダンスを聞いた着信者は、該音声ガイダンスに従い、着信携帯電話機２をオンフックして電話を切ると（ステップＳ１０７の「終了」の場合）、音楽配信サービスシステム１００の配信サーバ装置３は、その切断信号を受け取って、着信携帯電話機２との間の呼を開放する（ステップＳ１０８）。
【００９７】
なお、ステップＳ１００において、発信者が、楽曲コードを変更するために、発信携帯電話機１から「＊」ボタンを入力した場合（ステップＳ７の「＊」の場合）、ステップＳ９７に戻って、楽曲コードの再入力を受け付ける。ただし、本実施例の場合は、法人ユーザの音声メッセージを付与しない形で、楽曲のみを配信する場合について説明したが、ステップＳ９９における音声ガイダンスとして、実施例３の場合と同様に、例えば、「楽曲コードに指定された楽曲を承りました。訂正したい場合には（＊）を入力してください。引き続き、音声メッセージを入力したい場合にはピーという合図の後、１分以内で音声メッセージを入力してください。音声メッセージを入力しないで終了する場合には（＃）を入力してください。」との音声ガイダンスを流して、発信者に音声メッセージの入力を促すようにしても良い。ここで、発信者から音声メッセージが入力されてくると、実施例３の場合と同様に、配信サーバ装置３は、入力されてきた音声メッセージを録音して、着信側に指定された楽曲を配信する際に、該楽曲とともに、着信者側に送信する。
【００９８】
また、法人ユーザである発信者からの音声メッセージは、音楽配信サービスシステム１００にあらかじめ登録しておくようにして、発信携帯電話機１からは、登録されている音声メッセージを選択するようにしても良い。さらに、楽曲コードについても、法人ユーザ専用のコードとして、音楽配信サービスシステム１００にあらかじめ登録しておくようにして、発信携帯電話機１からは、登録されている楽曲コードを選択するようにしても良い。この場合、あらかじめ登録されている楽曲コードとして、複数の楽曲コードが登録されているようにしても良いし、さらには、発信携帯電話機１から選択する楽曲コードが１ないし複数であっても良い。
【００９９】
また、ステップＳ９５において、音楽配信サービスシステム１００の配信サーバ装置３にて発信携帯電話機１からのユーザ識別子、パスワードを前記ユーザ識別子およびパスワード用入力制限時間内に受け取れず、前記ユーザ識別子およびパスワード用入力制限時間がタイムアウトした場合（ステップＳ９５の「タイムアウト」の場合）、発信携帯電話機１から受け取ったとしてもユーザ識別子、パスワードが正しくなかった場合と同様、音楽配信サービスを行うことができないものとして、音楽配信サービスシステム１００の配信サーバ装置３は、発信携帯電話機１との間の回線を切断する。
【０１００】
また、ステップＳ９８において、音楽配信サービスシステム１００の配信サーバ装置３にて発信携帯電話機１からの楽曲コードを前記楽曲コード用入力制限時間内に受け取れず、前記楽曲コード用入力制限時間がタイムアウトした場合（ステップＳ９８の「タイムアウト」の場合）、発信携帯電話機１から受け取ったとしても楽曲コードが正しくなかった場合と同様、音楽配信サービスを行うことができないものとして、音楽配信サービスシステム１００の配信サーバ装置３は、音楽配信サービスを中止して、発信携帯電話機１との間の回線を切断する。
【０１０１】
また、ステップＳ１０３において、着信携帯電話機２からの応答があらかじめ定めた時間内になかった場合は（ステップＳ１０３の「応答なし」の場合）、楽曲配信サービスの実施が不可能と判定して、着信携帯電話機２への着信動作を終了する。
【０１０２】
また、ステップＳ１０７において、着信者が、着信携帯電話機２を切断せずに、「＊」ボタンを入力して楽曲の再配信を要求してきた場合は（ステップＳ１０７の「実施」の場合）、ステップＳ１０５に戻って、楽曲の配信動作を繰り返す。
【０１０３】
なお、着信側の着信携帯電話機２の電話番号は、法人ユーザによってあらかじめ登録されている場合を示しているが、場合によっては、発信時に、着信側の着信携帯電話機２の電話番号も、サービス特番とともに入力するようにしても良い。また、１ないし複数の着信側の着信携帯電話機２の電話番号をあらかじめ登録しておいても良く、法人ユーザの発信時に、そのうちの１ないし複数の着信携帯電話機２の電話番号を選択するようにしても良い。
【０１０４】
（他の実施例）
前述した実施例１〜４においては、楽曲および／または発信者の音声メッセージを配信する配信先となる着信側の着信携帯電話機２の電話番号を、発信携帯電話機１で音楽配信サービスシステム１００に発呼する際に、その都度、サービス特番とともに入力する例を説明したが、実施例５の法人ユーザが発信する場合と同様に、配信先の着信携帯電話機２の電話番号を音楽配信サービスシステム１００側にあらかじめ登録しておくようにしても良い。これにより、一般の個人ユーザが音楽配信サービスを利用する場合、発呼時に、楽曲の配信先となる着信携帯電話機２を指定する手間を省略することができ、発信操作が容易になる。
【０１０５】
さらに、一般の個人ユーザの場合であっても、例えば、会員制の音楽配信サービスとして、実施例５の場合のように、ユーザ識別子（Ｕ−ＩＤ）とパスワードとを用いたユーザ認証を行うようにしても良い。
【０１０６】
また、実施例５のような法人ユーザが音楽配信サービスを利用する場合、配信先の１ないし複数の着信携帯電話機２の電話番号を、配信条件を付与する形式で、音楽配信サービスシステム１００側にあらかじめ登録するようにし、登録された配信条件に合致する１ないし複数の配信先の着信携帯電話機２に対して、指定した音声メッセージや楽曲を一斉に配信するようにしても良い。
【０１０７】
また、発信者が、楽曲や音声メッセージを配信する配信先をあらかじめ登録する場合、音楽配信サービスシステム１００の制御端末１４から運用事業者により登録操作を行う場合のみならず、発信携帯電話機１などの発信側通信端末を用いてネットワーク例えば携帯電話網１０を介して遠隔から登録することも可能であるし、さらには、楽曲や音声メッセージの提供を行う法人ユーザ専用の端末装置や、あるいは、ＰＣやＰＤＡといった通常の通信端末からネットワーク例えばインターネット１１を介して遠隔から登録することも可能である。
【０１０８】
さらには、発信者や着信者の通信端末として、携帯電話機１，２の場合について説明したが、例えば、ＰＨＳ電話機や固定電話機であっても良いし、ＰＤＡや携帯型ノートＰＣなどの携帯型の端末であっても良いし、あるいは、デスクトップ型ＰＣをはじめとする各種の一般的な情報端末装置であっても良い。
【０１０９】
以上、本発明の好適実施例の構成を説明した。しかし、斯かる実施例は、本発明の単なる例示に過ぎず、何ら本発明を限定するものではないことに留意されたい。本発明の要旨を逸脱することなく、特定用途に応じて種々の変形変更が可能であることは、当業者には容易に理解できよう。
【図面の簡単な説明】
【０１１０】
【図１】本発明の音楽配信サービスシステムのシステム構成の一例を示すシステム構成図である。
【図２】図１の音楽配信サービスシステムの実施例１の動作手順を示すフローチャートである。
【図３】図１の音楽配信サービスシステムの実施例２の動作手順を示すフローチャートである。
【図４】図１の音楽配信サービスシステムの実施例３の動作手順を示すフローチャートである。
【図５】図１の音楽配信サービスシステムの実施例４の動作手順を示すフローチャートである。
【図６】図１の音楽配信サービスシステムの実施例５の動作手順を示すフローチャートである。
【図７】図１の音楽配信サービスシステムの動作の一例を示すシーケンスチャートである。
【図８】本発明の音楽配信サービスシステムにおいて使用される楽曲コードの一例を説明するための説明図である。
【符号の説明】
【０１１１】
１，２    携帯電話機
１        発信携帯電話機
２        着信携帯電話機
３        配信サーバ装置
４        音声応答装置
５        （副）楽曲データベース
６        コンテンツ管理サーバ装置
７        法人ユーザの端末装置
８        コンテンツ提供事業者（ＣＰ）のコンテンツ提供装置
９        （ＣＰ）楽曲データベース
１０      携帯電話網
１１      インターネット
１２      バックアップ制御サーバ装置
１３      （主）楽曲データベース
１４      制御端末
１５      ＬＡＮ
２１      １次アドレステーブル
２２      ２次アドレステーブル
２３      楽曲プロファイルテーブル
１００    音楽配信サービスシステム
【図１】
2008158708.tif 000003
【図２】
2008158708.tif 000004
【図３】
2008158708.tif 000005
【図４】
2008158708.tif 000006
【図５】
2008158708.tif 000007
【図６】
2008158708.tif 000008
【図７】
2008158708.tif 000009
【図８】
2008158708.tif 000010